(57)【特許請求の範囲】
【請求項１】
時分割複信（ＴＤＤ）システムにおいて基地局（ＢＳ）とユーザ装置（ＵＥ）との間の通信におけるダウンリンクトラフィック負荷とアップリンクトラフィック負荷とを取得する取得部と、
前記ダウンリンクトラフィック負荷および前記アップリンクトラフィック負荷に基づいてＵＬ−ＤＬトラフィック負荷関係を判定する判定部と、
前記ＵＬ−ＤＬトラフィック負荷関係に基づいてＵＬ−ＤＬ設定を選出する選出部と、
を備え、
前記選出部は、
少なくとも１つのＵＬ−ＤＬ設定に対応するＵＬ−ＤＬトラフィックレベルを判定する手段と、
前記ＵＬ−ＤＬトラフィック負荷関係および前記ＵＬ−ＤＬトラフィックレベルに基づいて前記少なくとも１つのＵＬ−ＤＬ設定から１つのＵＬ−ＤＬ設定を選出する手段と、
を有し、
前記判定する手段は、
少なくとも１つのＵＬ−ＤＬ設定に対応する要素に基づいて少なくとも１つのＵＬ−ＤＬ設定に対応するＵＬ−ＤＬ比率を算出する手段と、
前記ＵＬ−ＤＬ比率に基づいて前記少なくとも１つのＵＬ−ＤＬ設定それぞれに対応するＵＬ−ＤＬトラフィックレベルを判定する手段と、を有し、
前記要素は、１フレーム中のダウンリンクサブフレームの数、１フレーム中のアップリンクサブフレームの数、１フレーム中の特殊サブフレームの数、１サブフレーム中のＯＦＤＭシンボルの数、前記特殊サブフレームのダウンリンク比率および前記特殊サブフレームのアップリンク比率のうちの少なくとも１つを含み、
前記ＵＬ−ＤＬ比率に基づいて前記少なくとも１つのＵＬ−ＤＬ設定それぞれに対応するＵＬ−ＤＬトラフィックレベルを判定する手段は、
前記ＵＬ−ＤＬ比率をランク付けする手段と、
隣接する一対のＵＬ−ＤＬ比率の平均値を算出する手段と、
互いに最も近接した一対の平均値の間の数値範囲を判定する手段と、
前記算出した数値範囲に基づいてＵＬ−ＤＬトラフィックレベルを設定する手段と、を有する、
アップリンク−ダウンリンク（ＵＬ−ＤＬ）設定を動的に調整するための装置。
【請求項２】
前記選出する手段は、
前記ＵＬ−ＤＬトラフィック負荷関係と前記ＵＬ−ＤＬトラフィックレベルとを比較する手段と、
前記ＵＬ−ＤＬトラフィック負荷関係が前記ＵＬ−ＤＬトラフィックレベルのうちの１つに含まれている場合、当該ＵＬ−ＤＬトラフィックレベルのうちの１つに対応する前記ＵＬ−ＤＬ設定を選出する手段と、を有する、
請求項１に記載の装置。
【請求項３】
前記取得部は、
前記ＢＳから前記ＵＥへ送信されるダウンリンクデータの現時点での量を、前記ダウンリンクトラフィック負荷として取得する手段と、並びに／または、
前記ＵＥから前記ＢＳへ送信されるアップリンクデータの現時点での量を、前記アップ
リンクトラフィック負荷として取得する手段と、を有する、
請求項１または２に記載の装置。
【請求項４】
前記取得部は、
前記ＢＳから前記ＵＥへ送信されるダウンリンクデータの現時点での量を取得する手段と、
第２期間内に前記ＢＳから前記ＵＥへ送信されたデータの履歴情報に基づいて将来の第１期間の間に送信されるダウンリンクデータの量を見積もる手段と、
前記現時点でのダウンリンク量と前記将来のダウンリンク量とに基づいて前記ダウンリンクトラフィック負荷を判定する手段と、
前記ＵＥから前記ＢＳへ送信されるアップリンクデータの現時点での量を取得する手段と、
第２期間内に前記ＵＥから前記ＢＳへ送信されたデータの履歴情報に基づいて将来の第１期間の間に送信されるアップリンクデータの量を見積もる手段と、
前記現時点でのアップリンク量および前記将来のアップリンク量に基づいて前記アップリンクトラフィック負荷を判定する手段と、を有する、
請求項１または２に記載の装置。
【請求項５】
前記判定部は、前記アップリンクトラフィック負荷に対する前記ダウンリンクトラフィック負荷の比率を、ＵＬ−ＤＬトラフィック負荷関係として算出する手段を有する、
請求項１または２に記載の装置。
【請求項６】
前記判定部は、
前記アップリンクトラフィック負荷に対する前記ダウンリンクトラフィック負荷の比率を、ＵＬ−ＤＬトラフィック負荷として算出する手段と、
前記アップリンクトラフィック負荷に対する前記ダウンリンクトラフィック負荷の比率に所定のウェイトを付加する手段と、
前記ウェイトが付加された比率を、前記ＵＬ−ＤＬトラフィック負荷関係として判定する手段と、を有する、
請求項１または２に記載の装置。
【請求項７】
時分割複信（ＴＤＤ）システムにおいて基地局（ＢＳ）とユーザ装置（ＵＥ）との間の通信におけるダウンリンクトラフィック負荷とアップリンクトラフィック負荷とを取得することと、
前記ダウンリンクトラフィック負荷および前記アップリンクトラフィック負荷に基づいてＵＬ−ＤＬトラフィック負荷関係を判定することと、
前記ＵＬ−ＤＬトラフィック負荷関係に基づいてＵＬ−ＤＬ設定を選出することと、を含み、
前記ＵＬ−ＤＬトラフィック負荷関係に基づいてＵＬ−ＤＬ設定を選出することは、
少なくとも１つのＵＬ−ＤＬ設定に対応するＵＬ−ＤＬトラフィックレベルを判定することと、
前記ＵＬ−ＤＬトラフィック負荷関係および前記ＵＬ−ＤＬトラフィックレベルに基づいて前記少なくとも１つのＵＬ−ＤＬ設定から１つのＵＬ−ＤＬ設定を選出することと、
を含み、
前記少なくとも１つのＵＬ−ＤＬ設定に対応するＵＬ−ＤＬトラフィックレベルを判定することは、
少なくとも１つのＵＬ−ＤＬ設定に対応する要素に基づいて少なくとも１つのＵＬ−ＤＬ設定に対応するＵＬ−ＤＬ比率を算出することと、
前記ＵＬ−ＤＬ比率に基づいて前記少なくとも１つのＵＬ−ＤＬ設定それぞれに対応するＵＬ−ＤＬトラフィックレベルを判定することと、を含み、
前記要素は、１フレーム中のダウンリンクサブフレームの数、１フレーム中のアップリンクサブフレームの数、１フレーム中の特殊サブフレームの数、１サブフレーム中のＯＦＤＭシンボルの数、前記特殊サブフレームのダウンリンク比率および前記特殊サブフレームのアップリンク比率のうちの少なくとも１つを含み、
前記ＵＬ−ＤＬ比率に基づいて前記少なくとも１つのＵＬ−ＤＬ設定それぞれに対応するＵＬ−ＤＬトラフィックレベルを判定することは、
前記ＵＬ−ＤＬ比率をランク付けすることと、
隣接する一対のＵＬ−ＤＬ比率の平均値を算出することと、
互いに最も近接した一対の平均値の間の数値範囲を判定することと、
前記算出した数値範囲に基づいてＵＬ−ＤＬトラフィックレベルを設定することと、を含む、
アップリンク−ダウンリンク（ＵＬ−ＤＬ）設定を動的に調整するための方法。
【発明の詳細な説明】
【技術分野】
【０００１】
本発明の実施形態は、概して通信技術に関し、特に、アップリンク−ダウンリンク（ＵＬ−ＤＬ）設定を動的に調整するための方法および装置に関する。
【背景技術】
【０００２】
３ＧＰＰ  ＬＴＥおよびＬＴＥ−Ａｄｖａｎｃｅｄは、ＧＳＭ（登録商標）／ＨＳＰＡ技術において大成功を納めた発展規格としても知られており、新たに発展しつつある無線アクセス技術の仕様の新シリーズの作成を目的としている。この目的の１つは、スループットの向上のように通信システムの性能を改善していくことにある。ＬＴＥでは、ユーザから基地局への送信と基地局からユーザへの送信とを分離する方式として、周波数分割複信（ＦＤＤ）と時分割複信（ＴＤＤ）の２つの異なる複信方式を採用している。ＴＤＤ複信方式では、１つの帯域が、アップリンク（ＵＬ）とダウンリンク（ＤＬ）とで共用され、アップリンクとダウンリンクとで、割り当てられる期間が異なっている。ＬＴＥ  ＴＤＤシステムにおいて、アップリンクとダウンリンクとを切り替えるパターンとして７つの異なるパターンがあり、アップリンク−ダウンリンク設定０〜６と呼ばれる。ＬＴＥ  ＴＤＤシステムでは、この７つの異なるアップリンク−ダウンリンク設定により非対称なＵＬ−ＤＬ割り当てが可能となっている。ＬＴＥ  ＴＤＤシステムでは、セルに対してアップリンク−ダウンリンク設定を静的または半静的に割り当てる。一般的に、ＬＴＥ  ＴＤＤシステムにより互いに隣接するセルが配置された後では、当該セルの全てについて一様にアップリンク−ダウンリンク設定０となっている。これらの設定は、稼働中において変更されない（静的割り当て）か、或いは、数年稼働した後に変更される（半静的割り当て）ものである。
【０００３】
この静的な割り当てや半静的な割り当ては、例えばＦＴＰ通信のようなバーストトラフィック状況では不適当な場合がある。したがって、与えられたＵＬ−ＤＬ設定を前記トラフィック状況により適したものとなるよう動的に調整する必要がある。
【０００４】
しかしながら、実際のところ、トラフィック状況に応じてＵＬ−ＤＬ設定を効率的且つ有効に調整する方法は明確ではない。
【発明の概要】
【発明が解決しようとする課題】
【０００５】
前記事由に鑑みれば、前記トラフィック状況に応じてＵＬ−ＤＬ設定を効率的且つ有効に調整する必要がある。本発明は、ＵＬ−ＤＬ設定を、前記トラフィック状況により適合するよう動的に調整するための方法を提供する。
【課題を解決するための手段】
【０００６】
本発明の第１の観点によれば、本発明の実施形態は、
ＴＤＤシステムにおいてＢＳとＵＥとの間の通信におけるダウンリンクトラフィック負荷とアップリンクトラフィック負荷とを取得することと、
前記ダウンリンクトラフィック負荷および前記アップリンクトラフィック負荷に基づいてＵＬ−ＤＬトラフィック負荷関係を判定することと、
前記ＵＬ−ＤＬトラフィック負荷関係に基づいてＵＬ−ＤＬ設定を選出することと、を含み、
前記ＵＬ−ＤＬトラフィック負荷関係に基づいてＵＬ−ＤＬ設定を選出することは、
少なくとも１つのＵＬ−ＤＬ設定に対応するＵＬ−ＤＬトラフィックレベルを判定する
ことと、
前記ＵＬ−ＤＬトラフィック負荷関係および前記ＵＬ−ＤＬトラフィックレベルに基づ
いて前記少なくとも１つのＵＬ−ＤＬ設定から１つのＵＬ−ＤＬ設定を選出することと、
を含み、
前記少なくとも１つのＵＬ−ＤＬ設定に対応するＵＬ−ＤＬトラフィックレベルを判定することは、
少なくとも１つのＵＬ−ＤＬ設定に対応する要素に基づいて少なくとも１つのＵＬ−ＤＬ設定に対応するＵＬ−ＤＬ比率を算出することと、
前記ＵＬ−ＤＬ比率に基づいて前記少なくとも１つのＵＬ−ＤＬ設定それぞれに対応するＵＬ−ＤＬトラフィックレベルを判定することと、を含み、
前記要素は、１フレーム中のダウンリンクサブフレームの数、１フレーム中のアップリンクサブフレームの数、１フレーム中の特殊サブフレームの数、１サブフレーム中のＯＦＤＭシンボルの数、前記特殊サブフレームのダウンリンク比率および前記特殊サブフレームのアップリンク比率のうちの少なくとも１つを含み、
前記ＵＬ−ＤＬ比率に基づいて前記少なくとも１つのＵＬ−ＤＬ設定それぞれに対応するＵＬ−ＤＬトラフィックレベルを判定することは、
前記ＵＬ−ＤＬ比率をランク付けすることと、
隣接する一対のＵＬ−ＤＬ比率の平均値を算出することと、
互いに最も近接した一対の平均値の間の数値範囲を判定することと、
前記算出した数値範囲に基づいてＵＬ−ＤＬトラフィックレベルを設定することと、を含む、
ＵＬ−ＤＬ設定を動的に調整するための方法を提供する。
【０００７】
本発明の第２の観点によれば、本発明の実施形態は、
ＴＤＤシステムにおいてＢＳとＵＥとの間の通信におけるダウンリンクトラフィック負荷とアップリンクトラフィック負荷とを取得する取得部と、
前記ダウンリンクトラフィック負荷および前記アップリンクトラフィック負荷に基づいてＵＬ−ＤＬトラフィック負荷関係を判定する判定部と、
前記ＵＬ−ＤＬトラフィック負荷関係に基づいてＵＬ−ＤＬ設定を選出する選出部と、を備え、
前記選出部は、
少なくとも１つのＵＬ−ＤＬ設定に対応するＵＬ−ＤＬトラフィックレベルを判定する手段と、
前記ＵＬ−ＤＬトラフィック負荷関係および前記ＵＬ−ＤＬトラフィックレベルに基づいて前記少なくとも１つのＵＬ−ＤＬ設定から１つのＵＬ−ＤＬ設定を選出する手段と、
を有し、
前記判定する手段は、
少なくとも１つのＵＬ−ＤＬ設定に対応する要素に基づいて少なくとも１つのＵＬ−ＤＬ設定に対応するＵＬ−ＤＬ比率を算出する手段と、
前記ＵＬ−ＤＬ比率に基づいて前記少なくとも１つのＵＬ−ＤＬ設定それぞれに対応するＵＬ−ＤＬトラフィックレベルを判定する手段と、を有し、
前記要素は、１フレーム中のダウンリンクサブフレームの数、１フレーム中のアップリンクサブフレームの数、１フレーム中の特殊サブフレームの数、１サブフレーム中のＯＦＤＭシンボルの数、前記特殊サブフレームのダウンリンク比率および前記特殊サブフレームのアップリンク比率のうちの少なくとも１つを含み、
前記ＵＬ−ＤＬ比率に基づいて前記少なくとも１つのＵＬ−ＤＬ設定それぞれに対応するＵＬ−ＤＬトラフィックレベルを判定する手段は、
前記ＵＬ−ＤＬ比率をランク付けする手段と、
隣接する一対のＵＬ−ＤＬ比率の平均値を算出する手段と、
互いに最も近接した一対の平均値の間の数値範囲を判定する手段と、
前記算出した数値範囲に基づいてＵＬ−ＤＬトラフィックレベルを設定する手段と、を有する、
ＵＬ−ＤＬ設定を動的に調整するための装置を提供する。
【発明の効果】
【０００８】
本発明によれば次のような利点が期待できる。本発明に係る解決方法によれば、トラフィック負荷、例えばアップリンクバッファおよびダウンリンクバッファで送信されるのを待っているデータの量や将来到来するデータの見積量等に応じた最適なアップリンク−ダウンリンクサブフレームの比率を適応的且つ動的に選択する。これにより、アップリンクトラフィック負荷とダウンリンクトラフィック負荷とのバランスが向上する。同時に、ＵＬ−ＤＬ設定をトラフィックの状況に応じて効率的且つ有効に調整することができる。
【０００９】
また、本発明の実施形態に係る他の特徴や利点は、以下に示す実施形態の説明を、本発明に係る実施形態を例示する添付図面を参照しつつ読めば明らかになる。
【００１０】
本発明の実施形態は例示的な位置づけであり、これらの利点については、添付の図面とともに以下の実施形態で詳細に説明する。
【図面の簡単な説明】
【００１１】
【図１】ＬＴＥ  ＴＤＤシステムの概要図である。
【図２】本発明の実施形態に係るＵＬ−ＤＬ設定を動的に調整する方法を示すフローチャートである。
【図３】本発明の実施形態に係る他のＵＬ−ＤＬ設定を動的に調整する方法を示すフローチャートである。
【図４】本発明の実施形態に係る他のＵＬ−ＤＬ設定を動的に調整する方法を示すフローチャートである。
【図５】本発明の実施形態に係るＵＬ−ＤＬトラフィックレベルを判定する方法を示すフローチャートである。
【図６】本発明の実施形態に係るＵＬ−ＤＬ設定を動的に調整する装置を示すブロック図である。
【図７】本発明の実施形態に係るＢＳからＵＥへ送られたダウンリンクデータおよびアップリンクデータを示す図である。
【発明を実施するための形態】
【００１２】
本発明に係る種々の実施形態について、図面を参照しながら詳細に説明する。各図におけるフローチャートおよびブロック図は、本発明の実施形態に係る装置および方法、並びに、本発明の実施形態に係る、コンピュータプログラムにより動作する製品により実現可能なアーキテクチャ、機能および動作を示す。この点に関して、フローチャートまたはブロック図内における各ブロックは、モジュールやプログラム、コードの一部を表すものであり、特定の論理的機能を実現するための１以上の実行可能な命令を含むものである。いくつかの変形例では、ブロックで示す機能が図に示す順序とは異なる順序で実行されることに留意すべきである。例えば、連続する形で図示されている２つのブロックが、実際には、関連する機能に応じて、実質的に並行して実行されたり、逆の順序で実行されたりしてもよい。また、ブロック図および／または、フローチャートおよびこれらの組み合わせにおける各ブロックは、特定の機能や動作を実行する専用のハードウェアシステムにより実行されたり、専用のハードウェアとコンピュータの命令とが協働することにより実行されたりしてもよいことに留意すべきである。
【００１３】
まず、ＬＴＥ  ＴＤＤシステムの概要図を示す図１を参照されたい。
【００１４】
図１に示す通信環境では、ＬＴＥ  ＴＤＤシステムを表している。このシステムは、例えば、基地局（ＢＳ）１１０と、ユーザ装置（ＵＥ）１２０と、を備える。ＢＳ１１０とＵＥ１２０とは互いに通信可能である。ＢＳからＵＥへのデータ送信は「ダウンリンク」送信と呼ばれ、ＵＥからＢＳへのデータ送信は「アップリンク」送信と呼ばれる。
【００１５】
本開示において、ユーザ装置（ＵＥ）には、端末や移動端末（ＭＴ）、加入者局（ＳＳ）、携帯加入者局（ＰＳＳ）、移動局（ＭＳ）、アクセス端末（ＡＴ）が当てはまる。そして、ＵＥは、端末やＭＴ、ＳＳ、ＰＳＳ、ＭＳ、ＡＴの機能のうちのいくらかまたは全部を備えていてもよい。
【００１６】
本開示において、基地局（ＢＳ）には、ノードＢ（ＮｏｄｅＢまたはＮＢ）または発展型ノードＢ（ｅＮｏｄｅＢまたはｅＮＢ）が当てはまる。基地局は、マクロセルＢＳまたは小セルＢＳであってもよい。本発明によれば、マクロセルＢＳは、例えばマクロｅＮＢのようなマクロセルを管理する基地局であってもよく、小セルＢＳは、例えばピコｅＮＢやフェムトｅＮＢ、その他低電力に適したノードのような小セルを管理する基地局であってもよい。
【００１７】
理解しやすいように、本開示に係る以下に示す実施形態では、例えば図１に示すような通信環境におけるＬＴＥ  ＦＤＤシステムについて説明する。この分野における当業者にとっては、本開示が他の適当な通信環境に適用できるものであり、図１に示す特定の構成に限定されるものではないことは明らかである。
【００１８】
本発明の実施形態に係る動的にＵＬ−ＤＬ設定を調整する方法２００のフローチャートを示す図２を参照されたい。
【００１９】
ステップＳ２０１において、ＴＤＤシステムにおけるＢＳとＵＥとの間の通信におけるダウンリンクトラフィック負荷とアップリンクトラフィック負荷とを取得する。
【００２０】
本発明の実施形態では、ＢＳからＵＥへ送信される現時点でのダウンリンクデータの量やＵＥからＢＳへ送信される現時点でのアップリンクデータの量を取得することにより、ダウンリンクトラフィック負荷およびアップリンクトラフィック負荷を取得する。
【００２１】
本発明の実施形態では、ダウンリンクトラフィック負荷およびアップリンクトラフィック負荷を以下のようにして取得する。ＢＳからＵＥへ送信される現時点でのダウンリンクデータの量を取得し、第２期間内にＢＳからＵＥへ送信されたデータの履歴情報に基づいて、将来の第１期間内に送信されるダウンリンクデータの量を推定する。そして、前記現時点でのダウンリンクデータの量および前記将来送信されるダウンリンクデータの量に基づいてダウンリンクトラフィック負荷を判定する。並びに／または、ＵＥからＢＳへ送信される現時点でのアップリンクデータの量を取得し、第２期間内にＵＥからＢＳへ送信されたデータの履歴情報に基づいて、将来の第１期間内に送信されるアップリンクデータの量を推定する。そして、現時点でのアップリンクデータの量および将来送信されるアップリンクデータの量に基づいてアップリンクトラフィック負荷を判定する。
【００２２】
ステップＳ２０２において、ＵＬ−ＤＬトラフィック負荷関係を、ダウンリンクトラフィック負荷およびアップリンクトラフィック負荷に基づいて判定する。
【００２３】
本発明の実施形態によれば、ＵＬ−ＤＬトラフィック負荷関係を、アップリンクトラフィック負荷に対するダウンリンクトラフィック負荷の比率をＵＬ−ＤＬ通信負荷関係として計算することにより判定する。
【００２４】
本発明の実施形態によれば、ＵＬ−ＤＬトラフィック負荷が以下に示すようにして判定される。アップリンクトラフィック負荷に対するダウンリンクトラフィック負荷の比率を、ＵＬ−ＤＬトラフィック負荷関係として算出し、アップリンクトラフィック負荷に対するダウンリンクトラフィック負荷の比率に、所定のウェイトを付加する。そして、ウェイトが付加された比率を、ＵＬ−ＤＬトラフィック負荷関係として判定する。
【００２５】
ステップＳ２０３において、ＵＬ−ＤＬ設定が前記ＵＬ−ＤＬトラフィック負荷関係に基づいて選出される。
【００２６】
本発明の実施形態によれば、 ＵＬ−ＤＬ設定が以下のようにして選出される。少なくとも１つのＵＬ−ＤＬ設定についてのＵＬ−ＤＬトラフィックレベルを判定する。そして、ＵＬ−ＤＬトラフィック負荷関係およびＵＬ−ＤＬトラフィックレベルに基づいて、少なくとも１つのＵＬ−ＤＬ設定から１つのＵＬ−ＤＬ設定を選出する。
【００２７】
本発明の実施形態では、少なくとも１つのＵＬ−ＤＬ設定についてのＵＬ−ＤＬトラフィックレベルが以下のようにして判定される。少なくとも１つのＵＬ−ＤＬ設定それぞれの要素に基づいて、当該少なくとも１つのＵＬ−ＤＬ設定に対するＵＬ−ＤＬ比率を算出する。ここで、前記要素は、１フレーム中のダウンリンクサブフレームの数、１フレーム中のアップリンクサブフレームの数、１フレーム中の特定のサブフレームの数、１フレームのＯＦＤＭシンボルの数、特定のサブフレームに対するダウンリンク比率および特定のサブフレームに対するアップリンク比率のうち少なくとも１つを含む。次に、ＵＬ−ＤＬ比率に基づいて、少なくとも１つのＵＬ−ＤＬ設定に対するＵＬ−ＤＬトラフィックレベルを判定する。
【００２８】
本発明の実施形態では、少なくとも１つのＵＬ−ＤＬ設定に対するＵＬ−ＤＬトラフィックレベルがＵＬ−ＤＬ比率に基づいて、以下のようにして判定される。ＵＬ−ＤＬ比率をランク付けし、隣接する２つのＵＬ−ＤＬ比率の平均値を算出し、最も近い２つの平均値の間の数値範囲を判定する。そして、算出した数値範囲に基づいて、ＵＬ−ＤＬトラフィックレベルを設定する。
【００２９】
本発明の実施形態では、少なくとも１つのＵＬ−ＤＬ設定から、ＵＬ−ＤＬトラフィック負荷関係およびＵＬ−ＤＬトラフィックレベルに基づいて、以下に示すようにして１つのＵＬ−ＤＬ設定を選出する。ＵＬ−ＤＬトラフィック負荷関係と、ＵＬ−ＤＬトラフィックレベルとを比較する。そして、ＵＬ−ＤＬトラフィック負荷関係に応じて１つのＵＬ−ＤＬトラフィックレベルを選出して、当該ＵＬ−ＤＬトラフィックレベルに対応するＵＬ−ＤＬ設定を選出する。
【００３０】
なお、上述の実施形態は、これに限定されるというのではなく単なる例示に過ぎないことに留意すべきである。この分野における当業者であれば、本発明にはいくらかの修正や変形が含まれると理解するであろう。例えば、本発明の別の実施形態では、方法２００が、以前のＵＬ−ＤＬ設定を、選出されたＵＬ−ＤＬ設定で更新するステップを更に含んでいてもよい。
【００３１】
本発明の他の実施形態に係る、ＵＬ−ＤＬ設定を動的に調整する方法３００のフローチャートを示す図３を参照されたい。
【００３２】
ステップＳ３０１において、現時点のＢＳからＵＥへ送信されるダウンリンクデータの量を、ダウンリンクトラフィック負荷として取得する。
【００３３】
本発明の実施形態によれば、ダウンリンクトラフィック負荷が、ＢＳからＵＥへ送信される現時点のダウンリンクデータの量を含む。即ち、現時点のＢＳからＵＥへ送信されるダウンリンクデータの量を、ダウンリンクトラフィック負荷として取得する。本発明の他の実施形態によれば、現時点のＢＳからＵＥへ送信されるダウンリンクデータの量に関する情報は、ダウンリンク送信が実行される前にＤＬバッファに格納される。これにより、現時点のＢＳからＵＥへ送信されるダウンリンクデータの量に関する情報をＤＬバッファから取得し、ダウンリンクトラフィック負荷と看做すことができる。
【００３４】
ステップＳ３０２において、現時点のＵＥからＢＳへ送信されるアップリンクデータの量を、アップリンクトラフィック負荷として取得する。
【００３５】
本発明の実施形態によれば、アップリンクトラフィック負荷は、現時点のＵＥからＢＳへ送信されるアップリンクデータの量を含んでいる。即ち、現時点のＵＥからＢＳへ送信されるアップリンクデータの量を、アップリンクトラフィック負荷として取得する。
【００３６】
当業者であれば判るように、ＤＬバッファやＵＬバッファはＢＳまたは他の通信可能な装置が有するメモリまたは記憶装置により実現することができる。メモリまたは記憶装置としては、携帯用のコンピュータ磁気ディスク、ハードディスク、ランダムアクセスメモリ（ＲＡＭ）、リードオンリーメモリ（ＲＯＭ）、消去可能なプログラマブルリードオンリーメモリ（ＥＰＲＯＭまたはフラッシュメモリ）、光ファイバ、携帯用コンパクトディスク型リードオンリーメモリ（ＣＤ−ＲＯＭ）、光記憶装置または磁気記憶装置から構成される。
【００３７】
ステップＳ３０１とステップＳ３０２とは、それらの順序が厳密に決まっているわけではないことに留意すべきである。即ち、ステップＳ３０２は、ステップＳ３０１の前後のいずれで実行されたとしても、本発明の性能に影響はない。
【００３８】
ステップＳ３０３において、アップリンクトラフィック負荷に対するダウンリンクトラフィック負荷の比率を、ＵＬ−ＤＬトラフィック負荷関係として算出する。
【００３９】
本発明の実施形態によれば、ＵＬ−ＤＬトラフィック負荷関係は、ダウンリンクトラフィック負荷とアップリンクトラフィック負荷との関係を表す。ＵＬ−ＤＬトラフィック負荷関係は、いくつかの形態を採用することができ、例えば、アップリンクトラフィック負荷に対するダウンリンクトラフィック負荷の比率を採用することができる。ダウンリンクトラフィック負荷をＮＴＤＬとし、アップリンクトラフィック負荷をＮＴＵＬとし、アップリンクトラフィック負荷に対するダウンリンクトラフィック負荷の比率をＲＴとすると、ＲＴは式（１）を用いて算出される。
ＲＴ ＝ＮＴＤＬ ／ＮＴＵＬ  ・・・（１）
【００４０】
アップリンクトラフィック負荷に対するダウンリンクトラフィック負荷の比率は、いくつかの具体的な数式で計算することができる点に留意すべきである。他の実施形態では、式（２）を用いて、ダウンリンクトラフィック負荷に対するアップリンクトラフィック負荷の比率を算出してもよい。
ＲＴ ＝ＮＴＵＬ ／ＮＴＤＬ ・・・（２）
【００４１】
この分野における当事者であれば、式（１）および式（２）により算出された比率のように、アップリンクトラフィック負荷に対するダウンリンクトラフィック負荷の比率が違えば、１つのＵＬ−ＤＬ設定に対するＵＬ−ＤＬトラフィックレベルが、異なる方法により判定されることを理解することができる。このように、ＵＬ−ＤＬトラフィックレベルのセットが異なれば、比率も異なることになる。
【００４２】
本発明の他のいくつかの実施形態によれば、前記比率に加えて、 更に、ＵＬ−ＤＬトラフィック負荷関係を、アップリンクトラフィック負荷に対するダウンリンクトラフィック負荷の比率に所定のウェイトを付加することにより得られるウェイト付加比率とすることができる。本発明の実施形態では、所定のウェイトを、いくつかの方法で判定することができる。一実施形態によれば、所定のウェイトを特定の定数値として予め設定する。この所定のウェイトは、当業者の経験則或いは他の適当な方法に基づいて決定される。他の実施形態によれば、所定のウェイトが通信状況の履歴情報に基づいて動的に決定される。例えば、まず、ある期間における、ダウンリンクトラフィック負荷の分布の平均値とアップリンクトラフィック負荷の平均値を算出し、算出したダウンリンクトラフィック負荷の平均値およびアップリンクトラフィック負荷の平均値の比率を、ウェイトとして設定してもよい。
【００４３】
この分野における当業者にとっては、ＵＬ−ＤＬトラフィック負荷関係が他のいくつかの適切な形態によっても実現することができ、前述の比率およびウェイト付加比率はこれらに限定されるものではなく単なる例示に過ぎないことは明白である。
【００４４】
ステップＳ３０４において、少なくとも１つのＵＬ−ＤＬ設定に対するＵＬ−ＤＬトラフィックレベルを判定する。
【００４５】
ＬＴＥ  ＴＤＤシステムでは、アップリンクとダウンリンクとを切り替えるパターンとして７つの異なるパターンがあり、アップリンクダウンリンク設定０〜６と呼ばれる。ＬＴＥ  ＴＤＤシステムでは、７つの異なるアップリンク−ダウンリンク設定により非対称なＵＬ−ＤＬ割り当てを行うことができる。表１は、ＬＴＥ  ＴＤＤシステムで定義されている７つのＵＬ−ＤＬ設定を示す。
表１：ＵＬ−ＤＬ設定
【表１】
0005986218.tif 000002
【００４６】
表１において、「Ｄ」はダウンリンクサブフレームを意味し、「Ｕ」はアップリンクサブフレームを意味し、「Ｓ」は特殊サブフレームを意味する。ここで、特殊サブフレームは、ガード期間（ＧＰ）、アップリンクパイロットタイムスロット（ＵｐＰＴＳ）、ダウンリンクパイロットタイムスロット（ＤｗＰＴＳ）等から構成される。表１から、ＬＴＥ  ＴＤＤシステムでは、７つのアップリンク−ダウンリンク設定により非対称なＵＬ−ＤＬ割り当てが可能であることが判る。
【００４７】
ＵＬ−ＤＬ設定それぞれについて言えば、ＵＬ−ＤＬ設定が異なればＵＬサブフレームおよびＤＬサブフレームの割り当て方式も異なるので、ＵＬ−ＤＬトラフィックレベルも異なる。本発明の実施形態では、ＵＬ−ＤＬ設定を動的に調整する処理を行う前に、各ＵＬ−ＤＬ設定に対応するＵＬ−ＤＬトラフィックレベルを予め設定したり、計算により求めたりしてもよい。或いは、例えばＵＬ−ＤＬ設定を動的に調整する処理を行っている最中に、各ＵＬ−ＤＬ設定に対応するＵＬ−ＤＬトラフィックレベルをリアルタイムで計算するようにしてもよい。本発明の実施形態によれば、 図５に示す方法によって、ＵＬ−ＤＬトラフィックレベルを、予め或いはリアルタイムで計算する。
【００４８】
本発明の実施形態に係るＵＬ−ＤＬトラフィックレベルを判定する方法５００のフローチャートを図５に示す。
【００４９】
ステップＳ５０１によれば、少なくとも１つのＵＬ−ＤＬ設定におけるＵＬ−ＤＬ比率を、少なくとも１つのＵＬ−ＤＬ設定に対応する要素に基づいて、算出する。
【００５０】
本発明の実施形態によれば、ＵＬ−ＤＬ設定に対応する要素は、１フレーム内のダウンリンクサブフレームの数、１フレーム内のアップリンクサブフレームの数、１フレーム内の特殊サブフレームの数、１サブフレーム内のＯＦＤＭシンボルの数、特殊サブフレームに対するダウンリンクサブフレームの比率および特殊サブフレームに対するアップリンクサブフレームの比率の中の少なくとも１つを含む。これらのＵＬ−ＤＬ設定に対応する要素に基づいて、当該ＵＬ−ＤＬ設定に対応するＵＬ−ＤＬ比率をいくつかの方法で計算することができる。例えば、以下のようにして計算することができる。
Ｒｃｏｎｆｉｇ＝（ＮＤＬ×ＮＯＦＤＭ＋ＮＳ×ＮＯＦＤＭ×ＳＤｗＰＴＳ ）／（ＮＵＬ×ＮＯＦＤＭ＋ＮＳ×ＮＯＦＤＭ×ＳＵｐＰＴＳ）・・・（３）
【００５１】
式（３）において、Ｒｃｏｎｆｉｇは、対象とするＵＬ−ＤＬ設定に対応するＵＬ−ＤＬ比率を示す。ここで、例えば、対象とするＵＬ−ＤＬ設定が設定６である場合、式（３）により算出されたＲｃｏｎｆｉｇが設定６に対応するＵＬ−ＤＬ比率となる。更に、ＮＤＬは１フレーム中のダウンリンクサブフレームの数を示し、ＮＵＬは、１フレーム中のアップリンクサブフレームの数を示し、ＮＳは、１フレーム中の特殊サブフレームの数を示し、ＮＯＦＤＭは、１フレーム中のＯＦＤＭシンボルの数を示す。また、ＳＤｗＰＴＳは特殊サブフレームのダウンリンク比率であり、ＳＵｐＰＴＳは特殊サブフレームのアップリンク比率である。ここで、特殊サブフレームのダウンリンク比率とは１の特殊サブフレーム中のＤｗＰＴＳの比率であり、特殊サブフレームのアップリンク比率とは１の特殊サブフレーム中のＵｐＰＴＳの比率である。式（３）を用いることによって、各ＵＬ−ＤＬ設定に対応する要素を考慮すれば、全てのＵＬ−ＤＬ設定に対応するＵＬ−ＤＬ比率を得ることができる。
【００５２】
なお、設定に対応するＵＬ−ＤＬ比率を算出するのに適した方法は他にもあり、本発明の実施形態における式（３）を用いてＵＬ−ＤＬ比率を算出する方法は、これに限定されるものではなく単なる例示に過ぎないことに留意すべきである。
【００５３】
本発明の実施形態によれば、特殊サブフレーム＃８を例にとれば、７つのＵＬ−ＤＬ設定、即ち、設定０，設定１，・・・，設定６に対応するＵＬ−ＤＬ比率は、０．６２８０，１．４４９２，・・・，０．９５６６と算出される。具体的な数値を表２に示す。
表２：７つの設定に対応するＵＬ−ＤＬ比率の例
【表２】
0005986218.tif 000003
【００５４】
ステップＳ５０２において、ＵＬ−ＤＬ比率がランク付けされる。
【００５５】
ステップＳ５０１において、ＵＬ−ＤＬ設定それぞれに対応するＵＬ−ＤＬ比率を算出した後、それらのＵＬ−ＤＬ比率が昇順または降順にランク付けされる。表３は、ステップＳ５０１において取得した７つの設定に対応するＵＬ−ＤＬ比率をランク付けした結果を示す。
表３：ＵＬ−ＤＬ比率のランク付け結果
【表３】
0005986218.tif 000004
【００５６】
表３から、ＵＬ−ＤＬ比率を昇順にランク付けすると、７つのＵＬ−ＤＬ設定は設定０，６，１，３，２，４，５の順にランク付けされることがわかる。
【００５７】
ステップＳ５０３では、隣接するＵＬ−ＤＬ比率の組ごとに平均値を算出する。
【００５８】
ＵＬ−ＤＬ比率のランク付けの結果によると、隣接する２つのＵＬ−ＤＬ比率は、全て隣接する一対のＵＬ−ＤＬ比率と看做すことができる。例えば、設定０と設定６とに対応するＵＬ−ＤＬ比率は隣接する一対のＵＬ−ＤＬ比率をなし、設定６と設定１とに対応するＵＬ−ＤＬ比率も隣接する一対のＵＬ−ＤＬ比率をなす。設定１と設定３、設定３と設定２、設定２と設定４、設定４と設定５に対応するＵＬ−ＤＬ比率も同様である。隣接する一対のＵＬ−ＤＬ比率それぞれについて、既存の方法により平均値を決定することができる。例えば、設定０と設定６に対応する一対のＵＬ−ＤＬ比率、０．６２８０，０．９５６６の平均値は、当該２つのＵＬ−ＤＬ比率の平均をとることにより算出することができ、０．７９２３となる。同様にして、設定６と設定１に対応する一対のＵＬ−ＤＬ比率の平均値は１．２０２９となり、設定１と設定３に対応する一対のＵＬ−ＤＬ比率の平均値は１．８７５６となり、設定３と設定２に対応する一対のＵＬ−ＤＬ比率の平均値は３．１０７５となり、設定２と設定４に対応する一対のＵＬ−ＤＬ比率の平均値は３．９３５となり、設定４と設定５に対応する一対のＵＬ−ＤＬ比率の平均値は６．４３９となる。表４は、ＵＬ−ＤＬ比率の平均値を示す。
表４：ＵＬ−ＤＬ比率の平均値
【表４】
0005986218.tif 000005
【００５９】
なお、前述の平均値は単なる例示として記載されていることに留意すべきである。本発明に係る他の実施形態によれば、平均値の代わりに隣接する一対のＵＬ−ＤＬ比率の数値範囲に基づいて得られる目的値を用いてもよい。例えば、設定０および設定６に対応する隣接する一対のＵＬ−ＤＬ比率が０．６２８０および０．９５６６であれば、目的地は、当該２つの比率の数値範囲、０．６２８０から０．９５６６の間に判定されるようにしてもよい。本例において、０．６２８０から０．９５６６の間の数値範囲に含まれる任意の値を目標値としてもよい。
【００６０】
ステップＳ５０４において、値が最も接近している一対の平均値の間の数値範囲を決定する。
【００６１】
例えば、数値範囲（０．７９２３，１．２０２９］は、値が最も接近している一対の平均値０．７９２３および１．２０２９の間の数値範囲として決定してもよい。同様にして、数値範囲（１．２０２９，１．８７５６］、（３．１０７５，３．９３５］、（１．８７５６，３．１０７５］および（３．９３５,６．４３９］も、互いに最も接近した平均値（１．２０２９，１．８７５６，３．１０７５，３．９３５および６．４３９）の各対に基づいて決定することができる。表４に示す最小の平均値０．７９２３については、数値範囲（０，０．７９２３］に決定することができる。表４に示す最大の平均値６．４３９については、数値範囲（６．４３９，＋∞）に決定することができる。
【００６２】
ステップＳ５０５において、ＵＬ−ＤＬトラフィックレベルを、算出された数値範囲に基づいて設定する。
【００６３】
表５は、ステップＳ５０３において得られた平均値に基づいて決定された数値範囲を示す。表５に示すように、例えば、数値範囲（０．７９２３，１．２０２９］は設定６に対応するＵＬ−ＤＬトラフィックレベルとして設定してもよい。同様に、設定１，２，３および４それぞれに対応するＵＬ−ＤＬトラフィックレベルは、数値範囲（１．２０２９，１．８７５６］、（３．１０７５，３．９３５］、（１．８７５６，３．１０７５］および（３．９３５，６．４３９］に基づいて設定されてもよい。設定０と設定５はそれぞれランクの最初と最後に相当し、ＵＬ−ＤＬトラフィックレベルはそれぞれ（０，０．７９２３］および（６．４３９，＋∞）に設定してもよい。
表５：７つの設定に対応するＵＬ−ＤＬトラフィックレベル
【表５】
0005986218.tif 000006
【００６４】
ステップＳ３０５において、アップリンクトラフィック負荷に対するＵＬ−ＤＬトラフィック負荷関係を、ＵＬ−ＤＬトラフィックレベルと比較する。
【００６５】
本発明の実施形態によれば、ステップＳ３０３において、アップリンクトラフィック負荷に対するダウンリンクトラフィック負荷の比率がＵＬ−ＤＬトラフィック負荷関係として計算される。例えば、アップリンクトラフィック負荷に対するダウンリンクトラフィック負荷の比率が０．８５９６と算出されると、ステップＳ３０５ではこの算出した比率を、各設定に対応するＵＬ−ＤＬトラフィックレベルと比較する。具体的には、前記値０．８５９６を、図５に示すＵＬ−ＤＬトラフィックレベル（０，０．７９２３］、（０．７９２３，１．２０２９］、（１．２０２９，１．８７５６］、（１．８７５６，３．１０７５］、（３．１０７５，３．９３５］、（３．９３５，６．４３９］および（６．４３９，＋∞］と比較する。
【００６６】
ステップＳ３０６において、 ＵＬ−ＤＬトラフィック負荷関係がＵＬ−ＤＬトラフィックレベルの１つに含まれていることに応じて、１のＵＬ−ＤＬトラフィックレベルに対応するＵＬ−ＤＬ設定を選出する。
【００６７】
前述の一例の場合、比率０．８５９６とＵＬ−ＤＬトラフィックレベル（０，０．７９２３］、（０．７９２３，１．２０２９］、（１．２０２９，１．８７５６］、（１．８７５６，３．１０７５］、（３．１０７５，３．９３５］、（３．９３５，６．４３９］および（６．４３９，＋∞］とを比較することにより、比率０．８５９６がＵＬ−ＤＬトラフィックレベル（０．７９２３，１．２０２９］に含まれると判定する。これにより、ステップＳ３０６においてＵＬ−ＤＬトラフィックレベル（０．７９２３，１．２０２９］に対応するＵＬ−ＤＬ設定６が選出され、現時点でのトラフィック状況に適合した対象設定として用いられる。
【００６８】
本発明に係る他の実施形態によれば、ＵＬ−ＤＬ設定、例えば設定６を選出した後、以前のＵＬ−ＤＬ設定を新たに選出したＵＬ−ＤＬ設定により更新する。これにより、ＵＬ−ＤＬ設定は、現時点での通信状況により適合したものとなる。
【００６９】
図４は、本発明に係る他の実施形態では、動的にＵＬ−ＤＬ設定を調整する方法のフローチャートを示す。図４に示す実施形態は、主にＢＳとＵＥとの間行う通信のダウンリンクトラフィック負荷およびアップリンクトラフィック負荷を取得する処理において、図４に示す処理と異なる。特に、図３に示す実施形態では、ダウンリンク／アップリンクトラフィック負荷が現時点でのダウンリンク／アップリンク量に基づいて判定されているのに対し、図４に示す実施形態では、ダウンリンク／アップリンクトラフィック負荷が現状のダウンリンク／アップリンク量および将来のダウンリンク／アップリンク量に基づいて決定されている。
【００７０】
ステップＳ４０１では、ＢＳからＵＥへ送信されるダウンリンクデータの現時点での量を取得する。このステップは、ステップＳ３０１と同様なので、ステップＳ３０１のところで説明した詳細説明は全てステップＳ４０２についても当てはまる。
【００７１】
ステップＳ４０２では、第２期間内にＢＳからＵＥへ送信されたデータの履歴情報に基づいて将来の第１期間内に送信されるダウンリンクデータ量を見積もる。
【００７２】
本発明の実施形態によれば、将来の第１期間内に送信されるダウンリンクデータ量は、次の期間内に送信されるダウンリンクデータの予測量としてもよい。第１期間は、予め設定されていてもよいし、当業者の経験則に基づいて設定されてもよい。
【００７３】
本発明に係る他の実施形態では、第２期間内にＢＳからＵＥへ送信されたデータの履歴情報が過去の期間内におけるダウンリンク送信に関する情報であってもよい。第２期間は、予め設定されていてもよいし、当事者の経験則に基づいて設定されてもよい。
【００７４】
ＢＳからＵＥへ送信されるデータの履歴情報は、第２期間内におけるダウンリンク送信に関する静的な情報を含むものであってもよい。本発明の実施形態によれば、第２期間内にＢＳからＵＥへ送信されるデータの到着率が独立したポアソン分布に従うものとした場合の当該データの履歴情報を採用する。図７は、本発明の実施形態に係るＢＳからＵＥへ送信されるダウンリンクデータおよびアップリンクデータの概要図である。これらの実施形態では、第２期間が第１期間よりも長く或いは短くしてもよい。
【００７５】
図７に示すように、ＤＬおよびＵＬの到達率は、時間の経過とともに急速に収束する。即ち、第２期間内にＢＳからＵＥへ送信されるデータ、例えば直近のＴｍｓ内に到着したＤＬパケットの履歴情報は、将来の第１期間内に送信されるダウンリンクデータ、例えば将来到着するＤＬパケットの量を見積るために用いることができる。本発明の実施形態によれば、将来の第１期間内に送信されるダウンリンクデータの量（これをＮｐ，ｆとする）は、下記のように算出してもよい。
Ｎｐ，ｆ  ＝   Ｎｐ  （Ｔ＋Ｘ）／Ｔ−Ｎｐ  ・・・式（４）
【００７６】
ここで、 Ｎｐは、Ｔｍｓ内に到着したパケットの大きさを示し、Ｔは、第２期間を表す。そして、ＸはＢＳが再設定したＸｍｓごとのＤＬ−ＵＬ割り当てを示す。
【００７７】
本発明の実施形態によれば、ダウンリンクトラフィックまたはアップリンクトラフィックに関する履歴情報が非同次ポアソン過程（即ち、時間的相関過程）に従うとしてモデル化されたとすると、同様の予測方法（例えばベイズ推定）を将来の第１期間内に送信されるダウンリンク／アップリンクデータの量を見積もるのに適用することができる。
【００７８】
さらに、他のトラフィックモデル（メモリがある場合とない場合）に対して、同様の計算／予測方法を、静的なトラフィック情報を捉えることにより到着するＤＬおよびＵＬパケットの計算に適用してもよい。
【００７９】
ステップＳ４０３において、ダウンリンクトラフィック負荷を、現時点でのダウンリンク量および将来のダウンリンク量に基づいて決定する。
【００８０】
本発明の実施形態によれば、ダウンリンクトラフィック負荷は、２つの部分から構成され、１つは現時点でのダウンリンク量でありもう１つは将来のダウンリンク量である。
【００８１】
いくつかの実施形態では、ダウンリンクトラフィック負荷は現時点でのダウンリンク量と将来のダウンリンク量との合計により決定してもよい。他のいくつかの実施形態では、現時点でのダウンリンク量および将来のダウンリンク量それぞれに所定のウェイトを付加し、ウェイトが付加された現時点でのダウンリンク量と、ウェイトが付加された将来のダウンリンク量とを合計することにより、ダウンリンクトラフィック負荷を決定する。なお、現時点でのダウンリンク量および将来のダウンリンク量に基づいてダウンリンクトラフィック負荷を決定する方法は他にもいくつか存在しうる点に留意すべきであり、前述の実施形態は、これに限定されるものではなく単なる例示である点にも留意すべきである。
【００８２】
ステップＳ４０４において、ＵＥからＢＳへ送信されるアップリンクデータの現時点での量を取得する。このステップはステップＳ３０２と同様なので、ステップＳ３０２のところで説明した詳細説明は全てステップＳ４０４についても当てはまる。
【００８３】
ステップＳ４０５において、将来の第１期間内に送信されるアップリンクデータの量は第２期間内にＵＥからＢＳへ送信されたデータの履歴情報に基づいて見積もられる。
【００８４】
本発明の実施形態によれば、将来の第１期間の間に送信されるアップリンクデータの量が、次の期間内に送信されるアップリンクデータの予測量となっている。第１期間は、予め設定してもよいし、当業者の経験則に基づいて設定してもよい。
【００８５】
本発明に係る他の実施形態では、第２期間内にＵＥからＢＳへ送信されたデータの履歴情報が、過去におけるアップリンク通信に関する情報であってもよい。また、第２期間は、予め設定されていてもよいし、当事者の経験則に基づいて設定されていてもよい。
【００８６】
本発明の実施形態では、将来の第１期間の間に送信されるアップリンクデータの量を式（４）を用いて算出する。
【００８７】
ステップＳ４０６において、アップリンクトラフィック負荷を、現時点でのアップリンク量および将来のアップリンク量に基づいて決定する。
【００８８】
本発明の実施形態によれば、アップリンクトラフィック負荷は、２つの部分を含み、１つは現時点でのアップリンク量であり、もう１つは将来のアップリンク量である。いくつかの実施形態では、アップリンクトラフィック負荷が、現時点でのアップリンク量と将来のアップリンク量とを合計することにより決定されてもよい。他のいくつかの実施形態では、アップリンクトラフィック負荷が、現時点でのアップリンク量および将来のアップリンク量についてそれぞれ所定のウェイトを付加し、このウェイトが付加された現時点でのアップリンク量および将来のアップリンク量を合計することにより決定してもよい。
【００８９】
ステップＳ４０７において、アップリンクトラフィック負荷に対するダウンリンクトラフィック負荷の比率を、ＵＬ−ＤＬトラフィック負荷関係として計算する。このステップは、ステップＳ３０３と同様であるので、ステップＳ３０３で説明した詳細説明の全てがステップＳ４０７についても当てはまる。
【００９０】
ステップＳ４０８において、少なくとも１つのＵＬ−ＤＬトラフィック設定に対応するＵＬ−ＤＬトラフィックレベルを決定する。このステップは、ステップＳ３０４と同様であるので、ステップＳ３０４で説明した詳細説明の全てがステップＳ４０８についても当てはまる。
【００９１】
ステップＳ４０９において、アップリンクトラフィック負荷に対応するＵＬ−ＤＬトラフィック負荷関係を、ＵＬ−ＤＬトラフィックレベルと比較する。このステップは、ステップＳ３０５と同様であるので、ステップＳ３０４で説明した詳細説明は全てステップＳ４０９についても当てはまる。
【００９２】
ステップＳ４１０において、ＵＬ−ＤＬトラフィック負荷関係がＵＬ−ＤＬトラフィックレベルの１つに含まれることに対応して、当該１つのＵＬ−ＤＬトラフィックレベルに対応するＵＬ−ＤＬ設定が選出される。このステップは、ステップＳ３０６と同様であるので、ステップＳ３０４で説明した詳細説明の全てがステップＳ４１０についても当てはまる。
【００９３】
本発明の実施形態に係る動的にＵＬ−ＤＬ設定を調整する装置６００のブロック図を示す図６を参照されたい。装置６００は、ＢＳや他の何らかの適当な装置として実現してもよい。
【００９４】
本発明の実施形態では、装置６００が、時分割複信（ＴＤＤ）システムにおいて、基地局（ＢＳ）とユーザ装置（ＵＥ）との間での通信におけるダウンリンクトラフィック負荷およびアップリンクトラフィック負荷を取得する取得部６１０と、ダウンリンクトラフィック負荷およびアップリンクトラフィック負荷に基づいてＵＬ−ＤＬトラフィック負荷関係を判定する判定部６２０と、ＵＬ−ＤＬトラフィック負荷関係に基づいてＵＬ−ＤＬ設定を選出する選出部６３０と、を備える。
【００９５】
本発明の実施形態では、取得部６１０が、ＢＳからＵＥへ送信されるダウンリンクデータの現時点での量をダウンリンクトラフィック負荷として取得する手段や、ＵＥからＢＳへ送信されるアップリンクデータの現時点での量をアップリンクトラフィック負荷として取得する手段を備えていてもよい。
【００９６】
本発明の実施形態では、取得部６１０が、ＢＳからＵＥへ送信されるダウンリンクデータの現時点での量を取得する手段と、第２期間内にＢＳからＵＥへ送信されたデータの履歴情報に基づいて将来の第１期間の間に送信されるダウンリンクデータの量を見積もる手段と、現時点でのダウンリンク量および将来のダウンリンク量に基づいてダウンリンクトラフィック負荷を判定する手段と、を有するものであってもよい。また、取得部６１０は、更に、ＵＥからＢＳへ送信されるアップリンクデータの現時点での量を取得する手段と、第２期間内にＵＥからＢＥへ送信されたデータの履歴情報に基づいて将来の第１期間の間に送信されるアップリンクデータの量を見積もる手段と、現時点でのアップリンク量および将来のアップリンク量に基づいてアップリンクトラフィック負荷を判定する手段と、を有するものであってもよい。
【００９７】
本発明の実施形態では、判定部６２０が、ダウンリンクトラフィック負荷とアップリンクトラフィック負荷との比率を、ＵＬ−ＤＬトラフィック負荷関係として算出する手段を有するものであってもよい。
【００９８】
本発明の実施形態では、判定部６２０が、アップリンクトラフィック負荷に対するダウンリンクトラフィック負荷の比率を、ＵＬ−ＤＬトラフィック負荷関係として算出する手段と、アップリンクトラフィック負荷に対するダウンリンクトラフィック負荷の比率に所定のウェイトを付加する手段と、ウェイトが付加された比率を、ＵＬ−ＤＬトラフィック負荷関係として判定する手段と、を有するものであってもよい。
【００９９】
本発明の実施形態では、選出部６３０が、少なくとも１つのＵＬ−ＤＬ設定に対応するＵＬ−ＤＬトラフィックレベルを判定する判定手段と、ＵＬ−ＤＬトラフィック負荷関係およびＵＬ−ＤＬトラフィックレベルに基づいて少なくとも１つのＵＬ−ＤＬ設定からＵＬ−ＤＬ設定を選出する選出手段と、を有するものであってもよい。本発明の実施形態では、判定手段が、少なくとも１つのＵＬ−ＤＬ設定に対応する要素に基づいて少なくとも１つのＵＬ−ＤＬ設定に対応するＵＬ−ＤＬ比率を計算する手段と、ＵＬ−ＤＬ比率に基づいて少なくとも１つのＵＬ−ＤＬ設定に対応するＵＬ−ＤＬトラフィックレベルを判定する手段と、を有するものであってもよい。ここで、前記要素は、１フレーム中のダウンリンクサブフレームの数、１フレーム中のアップリンクサブフレームの数、１フレーム中の特殊サブフレームの数、１サブフレーム中のＯＦＤＭシンボルの数、特殊サブフレームにおけるダウンリンク比率、特殊サブフレームにおけるアップリンク比率の中の少なくとも１つを含む。本発明の実施形態によれば、ＵＬ−ＤＬ比率に基づいて少なくとも１つのＵＬ−ＤＬ設定に対応するＵＬ−ＤＬトラフィックレベルを判定する手段が、ＵＬ−ＤＬ比率のランク付けを行う手段と、隣接する一対のＵＬ−ＤＬ比率の平均値を計算する手段と、互いに最も接近している一対の平均値の間の数値範囲を判定する手段と、算出した数値範囲に基づいてＵＬ−ＤＬトラフィックレベルを設定する手段と、を有するものであってもよい。
【０１００】
本発明の実施形態によれば、選出部６３０は、ＵＬ−ＤＬトラフィック負荷関係とＵＬ−ＤＬトラフィックレベルとを比較する手段と、ＵＬ−ＤＬトラフィック負荷が含まれる１のＵＬ−ＤＬトラフィックレベルに応じて、当該１のＵＬ−ＤＬトラフィックレベルに対応するＵＬ−ＤＬ設定を選出する手段と、を有するものであってもよい。
【０１０１】
本発明の実施形態によれば、装置６００は、更に、以前のＵＬ−ＤＬ設定を選出したＵＬ−ＤＬ設定で更新する更新部（図示せず）を備えるものであってもよい。
【０１０２】
装置６００は、図２〜４に示すような機能が実装するよう構成されていてもよい点に留意されたい。したがって、方法２００、３００および４００のいずれかに関連して説明した特徴が、装置６００における対応する構成要素として適用されていてもよい。更には、装置６００の構成要素が、ハードウェア、ソフトウェア、ファームウェアまたはこれらの任意の組み合わせから実現されていてもよい点に留意されたい。例えば、装置６００の構成要素それぞれが、回路、プロセッサまたは他の任意に選択した適当な装置によって実現されてもよい。この分野の当業者であれば、前述の実施例は単に例示に過ぎず、これに限定されるものではないことが判るであろう。
【０１０３】
本発明のいくつかの実施形態において、装置６００は、少なくとも１つのプロセッサを備える。本開示の実施形態で用いるのに適した少なくとも１つのプロセッサは、例えば、周知の或いは将来開発される汎用プロセッサおよび専用プロセッサの両方を含む。装置６００は、さらに、少なくとも１つのメモリを備える。この少なくとも一つのメモリとしては、例えば、ＲＡＭ、ＲＯＭ、ＥＰＲＯＭ、ＥＥＰＲＯＭおよびフラッシュメモリデバイス等の半導体メモリデバイスであってもよい。少なくとも１つのメモリは、コンピュータで実行可能な命令を記憶するプログラムを格納するために用いることができる。プログラムは、コンパイル可能或いは機械語翻訳可能な高級プログラミング言語や低級プログラミング言語で記述することができる。実施形態によれば、コンピュータで実行可能な命令は、少なくとも１つのプロセッサを用いて、装置６００を、前述の方法２００、３００および４００のいずれかに従って実行させるように構成されていてもよい。
【０１０４】
この分野における当業者には、上述の説明から、本発明が、装置や方法、コンピュータプログラム製品において実現できることが理解できるであろう。例示した種々の実施形態は、一般的に、ハードウェアや専用回路、ソフトウェア、論理回路、これらの組合せにより実現することができる。例えば、いくつかの実施形態は、ハードウェアにおいて実現することができ、他の実施形態は、ファームウェア、或いは、制御装置、マイクロプロセッサまたは他の情報処理装置により実行可能なソフトウェアにおいて実現することができる。但し、本発明はこれらに限定されるものではない。本明細書に例示した種々の実施形態は、ブロック図やフローチャート、その他の種類の図により示されているが、当然ながら、本願明細書で説明したブロックや装置、システム、技術、方法は、例えば、ハードウェア、ソフトウェア、ファームウェア、専用回路、論理回路、汎用ハードウェア、制御装置または他の情報処理装置、或いは、これらを組み合わせたものにおいて実現可能である。
【０１０５】
図２から図５に示すように、種々のブロックは、方法を構成するステップおよび／またはコンピュータプログラムコードに沿って動作することにより得られる処理、および／または関連する機能を実行するよう構成された複数の論理回路要素の組み合わせとして表されている。本開示の例示された実施形態の少なくともいくつかの観点は、集積回路チップやモジュールのような種々の要素において実現される。即ち、本開示に係る例は、装置において実現されてもよいし、本開示の例示された実施形態に従って動作するよう構成されたＦＰＧＡやＡＳＩＣ等の集積回路として具現化されていてもよい。
【０１０６】
この明細書では、多くの実施態様の詳細が記載されているが、開示する発明の範囲、特許請求の範囲は、これらの実施態様に限定して解釈されるべきではない。明細書では、開示する発明の範囲の中の特定の発明の特定の実施形態に関する特徴が記述されているに過ぎないと解釈されるべきである。本明細書に別の実施形態として記載されている所定の特徴は、各実施形態を組み合わせて実現することが可能である。逆に、１つの実施形態に記載されている種々の特徴は、複数の実施形態で別個に実現したり、或いは適宜部分的に組み合わせて実現したりすることができる。さらに、上述では各特徴が所定の組み合わせにおいて実現できるように説明され、特許請求の範囲でもそのように記載されているが、特許請求の範囲に記載された組み合わせから得られる１以上の特徴は場合によっては削除してもよい。また、特許請求の範囲に係る組み合わせとして、部分的な組み合わせや当該部分的な組み合わせの変形例を採用することができる。
【０１０７】
同様に、図では動作が特定の順序でなされるように示されているが、所望の結果を得るためには、図示されている特定の順序で順番に実行したり、或いは、図示されている全ての処理を実行したりする必要があると解釈すべきではない。所定の環境においてはマルチタスク処理や並行処理を行うほうがよい。さらに、上述の実施形態では、種々のシステム要素が分離されているが、全ての実施形態において、このようにシステム要素を分離することが必要であると解釈すべきではない。また、開示されているプログラム要素やシステムは、１つのソフトウェア製品に統合したり、複合ソフトウェア製品として１つにまとめることができると解釈すべきである。
【０１０８】
関連技術分野における当業者にとっては、添付図面および上述の説明から、本開示の前記例示された実施形態に種々の修正や改変がなされたものも明らかである。任意の修正例や全ての修正例は、本開示の例示された非制限的な実施形態の範囲内である。さらに、本開示の実施形態の分野において上述の説明およびこれに関連する図面の示唆する利益を得る当業者であれば、本明細書に記載された他の実施形態を想到できるものと解する。
【０１０９】
したがって、本開示の実施形態は、具体例に限定されるものではなく、請求項を追加することにより、修正例や他の実施形態が当該請求項の範囲内に含まれることが意図されていると解釈すべきである。本明細書で使用されている用語は一般的且つ記述的な意味で使用されるものであり限定する目的で使用されるものではない。
【０１１０】
（付記１）
時分割複信（ＴＤＤ）システムにおいて基地局（ＢＳ）とユーザ装置（ＵＥ）との間の通信におけるダウンリンクトラフィック負荷とアップリンクトラフィック負荷とを取得することと、
前記ダウンリンクトラフィック負荷および前記アップリンクトラフィック負荷に基づいてＵＬ−ＤＬトラフィック負荷関係を判定することと、
前記ＵＬ−ＤＬトラフィック負荷関係に基づいてＵＬ−ＤＬ設定を選出することと、を含む、
アップリンク−ダウンリンク（ＵＬ−ＤＬ）設定を動的に調整するための方法。
【０１１１】
（付記２）
ＴＤＤシステムにおいてＢＳとＵＥとの間の通信におけるダウンリンクトラフィック負荷とアップリンクトラフィック負荷とを取得することは、
前記ＢＳから前記ＵＥへ送信されるダウンリンクデータの現時点での量を、前記ダウンリンクトラフィック負荷として取得することと、並びに／または、
前記ＵＥから前記ＢＳへ送信されるアップリンクデータの現時点での量を、前記アップリンクトラフィック負荷として取得することと、を含む、
付記１に記載の方法。
【０１１２】
（付記３）
ＴＤＤシステムにおいてＢＳとＵＥとの間の通信におけるダウンリンクトラフィック負荷とアップリンクトラフィック負荷とを取得することは、
前記ＢＳから前記ＵＥへ送信されるダウンリンクデータの現時点での量を取得することと、
第２期間内に前記ＢＳから前記ＵＥへ送信されたデータの履歴情報に基づいて将来の第１期間の間に送信されるダウンリンクデータの量を見積もることと、
前記現時点でのダウンリンク量と前記将来のダウンリンク量とに基づいて前記ダウンリンクトラフィック負荷を判定することと、並びに／または、
前記ＵＥから前記ＢＳへ送信されるアップリンクデータの現時点での量を取得することと、
第２期間内に前記ＵＥから前記ＢＳへ送信されたデータの履歴情報に基づいて将来の第１期間の間に送信されるアップリンクデータの量を見積もることと、
前記現時点でのアップリンク量および前記将来のアップリンク量に基づいて前記アップリンクトラフィック負荷を判定することと、を含む、
付記１に記載の方法。
【０１１３】
（付記４）
前記ダウンリンクトラフィック負荷および前記アップリンクトラフィック負荷に基づいてＵＬ−ＤＬトラフィック負荷関係を判定することは、
前記アップリンクトラフィック負荷に対する前記ダウンリンクトラフィック負荷の比率を、ＵＬ−ＤＬトラフィック負荷関係として算出すること、を含む、
付記１に記載の方法。
【０１１４】
（付記５）
前記ダウンリンクトラフィック負荷および前記アップリンクトラフィック負荷に基づいてＵＬ−ＤＬトラフィック負荷関係を判定することは、
前記アップリンクトラフィック負荷に対する前記ダウンリンクトラフィック負荷の比率を、ＵＬ−ＤＬトラフィック負荷として算出することと、
前記アップリンクトラフィック負荷に対する前記ダウンリンクトラフィック負荷の比率に所定のウェイトを付加することと、
前記ウェイトが付加された比率を、前記ＵＬ−ＤＬトラフィック負荷関係として判定することと、を含む、
付記１に記載の方法。
【０１１５】
（付記６）
前記ＵＬ−ＤＬトラフィック負荷関係に基づいてＵＬ−ＤＬ設定を選出することは、
少なくとも１つのＵＬ−ＤＬ設定に対応するＵＬ−ＤＬトラフィックレベルを判定することと、
前記ＵＬ−ＤＬトラフィック負荷関係および前記ＵＬ−ＤＬトラフィックレベルに基づいて前記少なくとも１つのＵＬ−ＤＬ設定から１つのＵＬ−ＤＬ設定を選出することと、を含む、
付記１に記載の方法。
【０１１６】
（付記７）
少なくとも１つのＵＬ−ＤＬ設定に対応するＵＬ−ＤＬトラフィックレベルを判定することは、  
少なくとも１つのＵＬ−ＤＬ設定に対応する要素に基づいて少なくとも１つのＵＬ−ＤＬ設定に対応するＵＬ−ＤＬ比率を算出することと、
前記ＵＬ−ＤＬ比率に基づいて前記少なくとも１つのＵＬ−ＤＬ設定それぞれに対応するＵＬ−ＤＬトラフィックレベルを判定することと、を含み、
前記要素は、１フレーム中のダウンリンクサブフレームの数、１フレーム中のアップリンクサブフレームの数、１フレーム中の特殊サブフレームの数、１サブフレーム中のＯＦＤＭシンボルの数、前記特殊サブフレームのダウンリンク比率および前記特殊サブフレームのアップリンク比率のうちの少なくとも１つを含む、
付記６に記載の方法。
【０１１７】
（付記８）
前記ＵＬ−ＤＬ比率に基づいて前記少なくとも１つのＵＬ−ＤＬ設定それぞれに対応するＵＬ−ＤＬトラフィックレベルを判定することは、
前記ＵＬ−ＤＬ比率をランク付けすることと、
隣接する一対のＵＬ−ＤＬ比率の平均値を算出することと、
互いに最も近接した一対の平均値の間の数値範囲を判定することと、
前記算出した数値範囲に基づいてＵＬ−ＤＬトラフィックレベルを設定することと、を含む、
付記７に記載の方法。
【０１１８】
（付記９）
前記ＵＬ−ＤＬトラフィック負荷関係および前記ＵＬ−ＤＬトラフィックレベルに基づいて前記少なくとも１つのＵＬ−ＤＬ設定から１つのＵＬ−ＤＬ設定を選出することは、
前記ＵＬ−ＤＬトラフィック負荷関係と前記ＵＬ−ＤＬトラフィックレベルとを比較することと、
前記ＵＬ−ＤＬトラフィック負荷関係が前記ＵＬ−ＤＬトラフィックレベルのうちの１つに含まれている場合、当該ＵＬ−ＤＬトラフィックレベルのうちの１つに対応する前記ＵＬ−ＤＬ設定を選出することと、を含む、
付記６に記載の方法。
【０１１９】
（付記１０）
以前のＵＬ−ＤＬ設定を前記選出されたＵＬ−ＤＬ設定により更新することを、更に含む、
付記１に記載の方法。
【０１２０】
（付記１１）
時分割複信（ＴＤＤ）システムにおいて基地局（ＢＳ）とユーザ装置（ＵＥ）との間の通信におけるダウンリンクトラフィック負荷とアップリンクトラフィック負荷とを取得する取得部と、
前記ダウンリンクトラフィック負荷および前記アップリンクトラフィック負荷に基づいてＵＬ−ＤＬトラフィック負荷関係を判定する判定部と、
前記ＵＬ−ＤＬトラフィック負荷関係に基づいてＵＬ−ＤＬ設定を選出する選出部と、を備える、
アップリンク−ダウンリンク（ＵＬ−ＤＬ）設定を動的に調整するための装置。
【０１２１】
（付記１２）
前記取得部は、
前記ＢＳから前記ＵＥへ送信されるダウンリンクデータの現時点での量を、前記ダウンリンクトラフィック負荷として取得する手段と、並びに／または、
前記ＵＥから前記ＢＳへ送信されるアップリンクデータの現時点での量を、前記アップリンクトラフィック負荷として取得する手段と、を有する、
付記１１に記載の装置。
【０１２２】
（付記１３）
前記取得部は、
前記ＢＳから前記ＵＥへ送信されるダウンリンクデータの現時点での量を取得する手段と、
第２期間内に前記ＢＳから前記ＵＥへ送信されたデータの履歴情報に基づいて将来の第１期間の間に送信されるダウンリンクデータの量を見積もる手段と、
前記現時点でのダウンリンク量と前記将来のダウンリンク量とに基づいて前記ダウンリンクトラフィック負荷を判定する手段と、
前記ＵＥから前記ＢＳへ送信されるアップリンクデータの現時点での量を取得する手段と、
第２期間内に前記ＵＥから前記ＢＳへ送信されたデータの履歴情報に基づいて将来の第１期間の間に送信されるアップリンクデータの量を見積もる手段と、
前記現時点でのアップリンク量および前記将来のアップリンク量に基づいて前記アップリンクトラフィック負荷を判定する手段と、を有する、
付記１１に記載の装置。
【０１２３】
（付記１４）
前記判定部は、前記アップリンクトラフィック負荷に対する前記ダウンリンクトラフィック負荷の比率を、ＵＬ−ＤＬトラフィック負荷関係として算出する手段を有する、
付記１１に記載の装置。
【０１２４】
（付記１５）
前記判定部は、
前記アップリンクトラフィック負荷に対する前記ダウンリンクトラフィック負荷の比率を、ＵＬ−ＤＬトラフィック負荷として算出する手段と、
前記アップリンクトラフィック負荷に対する前記ダウンリンクトラフィック負荷の比率に所定のウェイトを付加する手段と、
前記ウェイトが付加された比率を、前記ＵＬ−ＤＬトラフィック負荷関係として判定する手段と、を有する、
付記１１に記載の装置。
【０１２５】
（付記１６）
前記選出部は、
少なくとも１つのＵＬ−ＤＬ設定に対応するＵＬ−ＤＬトラフィックレベルを判定する手段と、
前記ＵＬ−ＤＬトラフィック負荷関係および前記ＵＬ−ＤＬトラフィックレベルに基づいて前記少なくとも１つのＵＬ−ＤＬ設定から１つのＵＬ−ＤＬ設定を選出する手段と、を有する、
付記１１に記載の装置。
【０１２６】
（付記１７）
前記判定する手段は、
少なくとも１つのＵＬ−ＤＬ設定に対応する要素に基づいて少なくとも１つのＵＬ−ＤＬ設定に対応するＵＬ−ＤＬ比率を算出する手段と、
前記ＵＬ−ＤＬ比率に基づいて前記少なくとも１つのＵＬ−ＤＬ設定それぞれに対応するＵＬ−ＤＬトラフィックレベルを判定する手段と、を有し、
前記要素は、１フレーム中のダウンリンクサブフレームの数、１フレーム中のアップリンクサブフレームの数、１フレーム中の特殊サブフレームの数、１サブフレーム中のＯＦＤＭシンボルの数、前記特殊サブフレームのダウンリンク比率および前記特殊サブフレームのアップリンク比率のうちの少なくとも１つを含む、
付記１６に記載の装置。
【０１２７】
（付記１８）
前記ＵＬ−ＤＬ比率に基づいて前記少なくとも１つのＵＬ−ＤＬ設定それぞれに対応するＵＬ−ＤＬトラフィックレベルを判定する手段は、
前記ＵＬ−ＤＬ比率をランク付けする手段と、
隣接する一対のＵＬ−ＤＬ比率の平均値を算出する手段と、
互いに最も近接した胃一対の平均値の間の数値範囲を判定する手段と、
前記算出した数値範囲に基づいてＵＬ−ＤＬトラフィックレベルを設定する手段と、を有する、
付記１７に記載の装置。
【０１２８】
（付記１９）
前記選出する手段は、
前記ＵＬ−ＤＬトラフィック負荷関係と前記ＵＬ−ＤＬトラフィックレベルとを比較する手段と、
前記ＵＬ−ＤＬトラフィック負荷関係が前記ＵＬ−ＤＬトラフィックレベルのうちの１つに含まれている場合、当該ＵＬ−ＤＬトラフィックレベルのうちの１つに対応する前記ＵＬ−ＤＬ設定を選出する手段と、を有する、
付記１６に記載の装置。
【０１２９】
（付記２０）
以前のＵＬ−ＤＬ設定を前記選出されたＵＬ−ＤＬ設定により更新する手段を、更に有する、
付記１１に記載の装置。
【図１】
0005986218.tif 000007
【図２】
0005986218.tif 000008
【図３】
0005986218.tif 000009
【図４】
0005986218.tif 000010
【図５】
0005986218.tif 000011
【図６】
0005986218.tif 000012
【図７】
0005986218.tif 000013